(57)【特許請求の範囲】
【請求項１】
画像信号を入力する入力手段と、
低域通過型フィルタを用いて前記画像信号をフィルタリングし、ダウンサンプリングすることにより低周波成分信号を抽出する低周波成分抽出手段と、
高域通過型フィルタを用いて前記画像信号をフィルタリングし、ダウンサンプリングすることにより第１の高周波成分信号を抽出する第１の高周波成分抽出手段と、
高域通過型フィルタを用いて前記低周波成分信号をフィルタリングし、ダウンサンプリングすることにより前記低周波成分信号における高周波成分信号である第２の高周波成分信号を抽出する第２の高周波成分抽出手段と、
前記低周波成分信号を符号化する低周波成分符号化手段と、
前記第１の高周波成分信号及び前記第２の高周波成分信号を符号化する高周波成分符号化手段と、
を有することを特徴とする画像処理装置。
【請求項２】
前記入力手段は更に、前記画像信号の解像度よりも低解像度である低解像度画像信号を入力し、
前記低周波成分符号化手段は前記低解像度画像信号を符号化することを特徴とする請求項１に記載の画像処理装置。
【請求項３】
前記低解像度画像信号の解像度は水平及び垂直方向のそれぞれにおいて、前記画像信号の解像度の整数分の１であることを特徴とする請求項２に記載の画像処理装置。
【請求項４】
前記低周波成分信号は、前記低解像度画像信号と同等の解像度であることを特徴とする請求項２に記載の画像処理装置。
【請求項５】
前記低周波成分抽出手段は、二次元の低域通過型フィルタ及び二次元のダウンサンプラを備えることを特徴とする請求項１に記載の画像処理装置。
【請求項６】
前記低周波成分抽出手段は、水平及び垂直方向の低域通過型フィルタと、水平及び垂直方向のダウンサンプラを備えることを特徴とする請求項５に記載の画像処理装置。
【請求項７】
前記第１及び第２の高周波成分抽出手段はそれぞれ、二次元の高域通過型フィルタ及び二次元のダウンサンプラを備えることを特徴とする請求項１に記載の画像処理装置。
【請求項８】
前記第１及び第２の高周波成分抽出手段はそれぞれ、水平及び垂直方向の高域通過型フィルタと、水平及び垂直方向のダウンサンプラを備えることを特徴とする請求項７に記載の画像処理装置。
【請求項９】
前記第２の高周波成分抽出手段は前記第２の高周波成分信号として、前記低周波成分信号において水平方向の低域と垂直方向の低域から成る信号以外の信号を抽出することを特徴とする請求項１に記載の画像処理装置。
【請求項１０】
前記第２の高周波成分抽出手段は前記第２の高周波成分信号として、前記低周波成分信号において、水平方向の低域と垂直方向の高域から成る信号列と、水平方向の高域と垂直方向の低域から成る信号列と、水平方向の高域と垂直方向の高域から成る信号列と、の３組の信号列を抽出することを特徴とする請求項９に記載の画像処理装置。
【請求項１１】
前記３組の信号列はそれぞれ、水平及び垂直方向に前記低周波成分信号の半分の解像度を有することを特徴とする請求項１０に記載の画像処理装置。
【請求項１２】
前記第１の高周波成分抽出手段は前記第１の高周波成分信号として、前記画像信号において水平方向の低域と垂直方向の低域から成る信号以外の信号を抽出することを特徴とする請求項１に記載の画像処理装置。
【請求項１３】
前記第１の高周波成分抽出手段は前記第１の高周波成分信号として、前記画像信号において前記低周波成分信号以外の信号を抽出することを特徴とする請求項１２に記載の画像処理装置。
【請求項１４】
前記第１の高周波成分抽出手段は前記第１の高周波成分信号として、前記画像信号において、水平方向の低域と垂直方向の高域から成る信号列と、水平方向の高域と垂直方向の低域から成る信号列と、水平方向の高域と垂直方向の高域から成る信号列と、の３組の信号列を抽出することを特徴とする請求項１３に記載の画像処理装置。
【請求項１５】
更に、前記低解像度画像信号と前記低周波成分信号のいずれかを選択する選択手段を備え、
前記低周波成分符号化手段は、前記選択手段によって選択された信号を符号化することを特徴とする請求項２に記載の画像処理装置。
【請求項１６】
更に、前記低周波成分符号化手段の出力と前記高周波成分符号化手段の出力とを多重化する多重化手段を備えることを特徴とする請求項１に記載の画像処理装置。
【請求項１７】
前記多重化手段は、前記低周波成分符号化手段の出力と前記高周波成分符号化手段の出力とを時分割多重化することを特徴とする請求項１６に記載の画像処理装置。
【請求項１８】
前記多重化手段は、前記低周波成分符号化手段の出力と前記高周波成分符号化手段の出力とを周波数多重化することを特徴とする請求項１６に記載の画像処理装置。
【請求項１９】
低域通過型フィルタを用いて画像信号をフィルタリングし、ダウンサンプリングすることにより得られた低周波成分信号と、高域通過型フィルタを用いて前記画像信号をフィルタリングし、ダウンサンプリングすることにより得られた第１の高周波成分信号と、高域通過型フィルタを用いて前記低周波成分信号をフィルタリングし、ダウンサンプリングすることにより得られた前記低周波成分信号における高周波成分信号である第２の高周波成分信号とがそれぞれ符号化された符号化信号を復号する画像処理装置であって、
前記低周波成分信号の符号化信号を復号して第１の低周波成分信号を作成する低周波成分復号手段と、
低域通過型フィルタを用いて前記第１の低周波成分信号をフィルタリングすることにより第２の低周波成分信号を抽出する低周波成分抽出手段と、
前記第１の高周波成分信号の符号化信号を復号して第１の高周波成分信号を出力し、前記第２の高周波成分信号の符号化信号を復号して第２の高周波成分信号を出力する高周波成分復号手段と、
第２の高周波成分信号をアップサンプリングし、高域通過型フィルタを用いて第３の高周波成分信号を出力し、前記第２の低周波成分信号と前記第３の高周波成分信号を用いて第３の低周波成分信号を出力し、該第３の低周波成分信号と前記第１の高周波成分信号とを用いて前記画像信号を復元する復元手段と、
を有することを特徴とする画像処理装置。
【請求項２０】
画像信号を入力する入力工程と、
低域通過型フィルタを用いて前記画像信号をフィルタリングし、ダウンサンプリングすることにより低周波成分信号を抽出する低周波成分抽出工程と、
高域通過型フィルタを用いて前記画像信号をフィルタリングし、ダウンサンプリングすることにより第１の高周波成分信号を抽出する第１の高周波成分抽出工程と、
高域通過型フィルタを用いて前記低周波成分信号をフィルタリングし、ダウンサンプリングすることにより前記低周波成分信号における高周波成分信号である第２の高周波成分信号を抽出する第２の高周波成分抽出工程と、
前記低周波成分信号を符号化する低周波成分符号化工程と、
前記第１の高周波成分信号及び前記第２の高周波成分信号を符号化する高周波成分符号化工程と、
を有することを特徴とする画像処理方法。
【請求項２１】
更に、前記画像信号の解像度よりも低解像度である低解像度画像信号を入力する低解像度画像入力工程と、
前記低解像度画像信号を符号化する低解像度画像符号化工程と、を備え、
前記低周波成分信号は、前記低解像度画像信号と同等の解像度であることを特徴とする請求項２０に記載の画像処理方法。
【請求項２２】
低域通過型フィルタを用いて画像信号をフィルタリングし、ダウンサンプリングすることにより得られた低周波成分信号と、高域通過型フィルタを用いて前記画像信号をフィルタリングし、ダウンサンプリングすることにより得られた第１の高周波成分信号と、高域通過型フィルタを用いて前記低周波成分信号をフィルタリングし、ダウンサンプリングすることにより得られた前記低周波成分信号における高周波成分信号である第２の高周波成分信号とがそれぞれ符号化された符号化信号を復号する画像処理方法であって、
前記低周波成分信号の符号化信号を復号して第１の低周波成分信号を作成する低周波成分復号工程と、
低域通過型フィルタを用いて前記第１の低周波成分信号をフィルタリングすることにより第２の低周波成分信号を抽出する低周波成分抽出工程と、
前記第１の高周波成分信号の符号化信号を復号して第１の高周波成分信号を出力し、前記第２の高周波成分信号の符号化信号を復号して第２の高周波成分信号を出力する高周波成分復号工程と、
第２の高周波成分信号をアップサンプリングし、高域通過型フィルタを用いて第３の高周波成分信号を出力し、前記第２の低周波成分信号と前記第３の高周波成分信号を用いて第３の低周波成分信号を出力し、該第３の低周波成分信号と前記第１の高周波成分信号とを用いて前記画像信号を復元する復元工程と、
を有することを特徴とする画像処理方法。
【請求項２３】
画像を符号化するためのプログラムコードが記録された記録媒体であって、該プログラムコードは少なくとも、
画像信号を入力する入力工程のコードと、
低域通過型フィルタを用いて前記画像信号をフィルタリングし、ダウンサンプリングすることにより低周波成分信号を抽出する低周波成分抽出工程のコードと、
高域通過型フィルタを用いて前記画像信号をフィルタリングし、ダウンサンプリングすることにより第１の高周波成分信号を抽出する第１の高周波成分抽出工程のコードと、
高域通過型フィルタを用いて前記低周波成分信号をフィルタリングし、ダウンサンプリングすることにより前記低周波成分信号における高周波成分信号である第２の高周波成分信号を抽出する第２の高周波成分抽出工程のコードと、
前記低周波成分信号を符号化する低周波成分符号化工程のコードと、
前記第１の高周波成分信号及び前記第２の高周波成分信号を符号化する高周波成分符号化工程のコードと、
を有することを特徴とする記録媒体。
【請求項２４】
前記プログラムコードは更に、
前記画像信号の解像度よりも低解像度である低解像度画像信号を入力する低解像度画像入力工程のコードと、
前記低解像度画像信号を符号化する低解像度画像符号化工程のコードと、を備え、
前記低周波成分信号は、前記低解像度画像信号と同等の解像度であることを特徴とする請求項２３に記載の記録媒体。
【請求項２５】
低域通過型フィルタを用いて画像信号をフィルタリングし、ダウンサンプリングすることにより得られた低周波成分信号と、高域通過型フィルタを用いて前記画像信号をフィルタリングし、ダウンサンプリングすることにより得られた第１の高周波成分信号と、高域通過型フィルタを用いて前記低周波成分信号をフィルタリングし、ダウンサンプリングすることにより得られた前記低周波成分信号における高周波成分信号である第２の高周波成分信号とがそれぞれ符号化された符号化信号を復号するためのプログラムコードが記録された記録媒体であって、該プログラムコードは少なくとも、
前記低周波成分信号の符号化信号を復号して第１の低周波成分信号を作成する低周波成分復号工程のコードと、
低域通過型フィルタを用いて前記第１の低周波成分信号をフィルタリングすることにより第２の低周波成分信号を抽出する低周波成分抽出工程のコードと、
前記第１の高周波成分信号の符号化信号を復号して第１の高周波成分信号を出力し、前記第２の高周波成分信号の符号化信号を復号して第２の高周波成分信号を出力する高周波成分復号工程のコードと、
第２の高周波成分信号をアップサンプリングし、高域通過型フィルタを用いて第３の高周波成分信号を出力し、前記第２の低周波成分信号と前記第３の高周波成分信号を用いて第３の低周波成分信号を出力し、該第３の低周波成分信号と前記第１の高周波成分信号とを用いて前記画像信号を復元する復元工程のコードと、
を有することを特徴とする記録媒体。
【発明の詳細な説明】
【０００１】
【発明の属する技術分野】
本発明は画像処理装置及びその方法に関し、特に画像信号の高能率符号化及び復号を行なう画像処理装置及びその方法に関する。
【０００２】
【従来の技術】
近年、デジタル信号処理技術の進歩により、動画像や静止画像、音声等、大量のデジタル情報を高能率符号化し、小型磁気記録媒体への記録や通信媒体への伝送を行なうことが可能となっている。こうした技術を応用し、動画と静止画、さらには解像度の異なる複数の映像を混在して扱えるマルチメデイア機器の検討が行われている。
【０００３】
図４は、低解像度映像と高解像度映像のいずれも符号化可能な、従来の高能率符号化装置の構成を示すブロック図である。図４において、４０１は映像信号入力端子、４０２は切り替え部、４０３は低解像度映像符号化部、４０４は低解像度映像符号出力端子、４０５は低域通過型フィルタ、４０６はダウンサンプラ、４０７は高域通過型フィルタ、４０８はダウンサンプラ、４０９は高域符号化部、４１０は高域符号出力端子である。
【０００４】
以下、該装置における符号化処理について説明する。映像信号入力端子４０１には低解像度映像信号あるいは、水平／垂直ともに倍の解像度を有する高解像度映像信号のいずれか一方が入力され、切り替え部４０２および低域通過型フィルタ４０３、高域通過型フィルタ４０７に供給される。
【０００５】
入力される高解像度映像信号は低域通過型フィルタ４０５および高域通過型フィルタ４０７によって低域信号と高域信号に分割された後、それぞれダウンサンプラ４０６，４０８に供給される。ここで図６に、低域通過型フィルタ４０５および高域通過型フィルタ４０７による周波数分割の例を示す。低域通過型フィルタ４０５は図６における二次元周波数領域ＬＬ、すなわち、水平／垂直ともに高解像度映像信号の半分の低帯域のみを通過させる。一方の高域通過型フィルタ４０７は図６のＬＨ，ＨＬ，ＨＨ領域のみを通過させる。
【０００６】
ダウンサンプラ４０６は低域通過型フィルタ４０５から供給される低域信号を、水平／垂直とも半分に間引き、低解像度映像と同一画素数の映像信号に変換し、切り替え部４０２に供給する。切り替え部４０２は、映像信号入力端子４０１より直接供給される映像信号と、ダウンサンプラ４０６から供給される映像信号とを選択し、いずれか一方を低解像度映像符号化部４０４に供給する。即ち、映像信号入力端子４０１への入力信号が高解像度映像信号である場合にはダウンサンプラ４０６より供給される映像信号が選択され、該入力信号が低解像度映像信号である場合には映像信号入力端子４０１より供給される映像信号が選択される。
【０００７】
低解像度映像符号化部４０３は、切り替え部４０２より供給される信号に対して、直交変換や量子化可変長符号化等の各処理を施すことにより低解像度映像符号に変換し、低解像度映像符号出力端子４０４に出力する。
【０００８】
ダウンサンプラ４０８は、高域通過型フィルタ４０７から供給される高域信号を水平／垂直ともに間引き、高域符号化部４０９に供給する。高域符号化部４０９は、供給される信号に対して量子化可変長符号化等の各処理を施すことにより高域符号へ変換し、高域符号出力端子４１０に出力する。
【０００９】
図５は、図４に示した従来の高能率符号化装置によって符号化された信号を復号する、従来の高能率復号装置構成を示すブロック図である。図５において、５０１は低解像度映像符号入力端子、５０２は低解像度映像復号部、５０３は切り替え部、５０４は映像信号出力端子、５０５は高域符号入力端子、５０６高域復号部、５０７はアップサンプラ、５０８は低域通過型フィルタ、５０９はアップサンプラ、５１０は高域通過型フィルタ、５１１は加算部である。
【００１０】
低解像度映像符号入力端子５０１に供給される映像符号は、低解像度映像復号部５０２に供給される。尚、符号化の際に高解像度映像を処理した場合、該映像符号は図６に示す周波数帯域ＬＬに相当する。低解像度映像復号部５０２は供給される映像符号に対して可変長復号逆量子化、逆直交変換を施すことによって映像信号を復号し、切り替え部５０３およびアップサンプラ５０７に供給する。
【００１１】
高域符号入力端子５０５に供給される高域符号は、高域復号部５０６に供給される。該高域符号は、高解像度映像を符号化した際に得られる、図６に示す周波数帯域ＬＨ，ＨＬ，ＨＨに相当する。高域復号化部５０６は、該高域符号を可変長復号逆量子化し、アップサンプラ５０９に供給する。
【００１２】
アップサンプラ５０７，５０９は供給される信号列に対して水平／垂直に０を挿入し、それぞれ低域通過型フィルタ５０８、高域通過型フィルタ５１０に供給する。低域通遇型フィルタ５０８はアップサンプラ５０７から供給される信号列における、帯域ＬＬ相当部分のみを通過させ、加算部５１１へ供給する。一方、高域通過型フィルタ５１０はアップサンプラ５０９から供給される信号列における、帯域ＬＨ，ＨＬ，ＨＨ相当部分のみを通過させ、加算部５１１へ供給する。
【００１３】
加算部５１１は、帯域ＬＬ相当部分と帯域ＬＨ，ＨＬ，ＨＨ相当部分とを加算することによって高解像度映像の全帯域を再構成し、切り替え部５０３に供給する。切り替え部５０３は、復号装置に供給される符号が低解像度映像に対する符号である場合には、低解像度映像復号部５０２から供給される信号を選択し、供給される符号が高解像度映像に対する符号である場合には、加算部５１１から供給される信号を選択して、映像信号出力端子５０４に出力する。
【００１４】
以上のように、従来の高能率符号化／復号装置においては、高解像度映像の低域部分の符号化／復号化を行なうために、低解像度映像のみを処理する低解像度映像符号化／復号部（４０３，５０２）を用いることによって、従来の低解像度映像のみを扱う符号化／復号装置との高い互換性を実現している。即ち、低解像度映像符号のみを従来の復号装置に供給すれば、高解像度映像の低域部分を再生することが可能である。
【００１５】
【発明が解決しようとする課題】
しかしながら、上記従来の高能率符号化／復号装置においては、従来の低解像度映像のみを扱う符号化／復号装置との高い互換性を実現する反面、高解像度映像の符号化／復号における画像品質に着目すると、低解像度映像符号化／復号部（４０３，５０２）における劣化が、高解像度映像全体としての符号化／復号に多大な影響を与えてしまい、十分な画質を実現できなかった。
【００１６】
こうした背景において本発明の目的は、低解像度画像のみに対応した装置との互換性を損なうことなく、高解像度画像に対する高品位な符号化処理を可能とする画像処理装置及びその方法を提供することにある。
【００１７】
【課題を解決するための手段】
上述の目的を達成するための一手段として、本発明の画像処理装置は以下の構成を備える。
【００１８】
即ち、本発明の一側面に係る画像処理装置は、画像信号を入力する入力手段と、低域通過型フィルタを用いて前記画像信号をフィルタリングし、ダウンサンプリングすることにより低周波成分信号を抽出する低周波成分抽出手段と、高域通過型フィルタを用いて前記画像信号をフィルタリングし、ダウンサンプリングすることにより第１の高周波成分信号を抽出する第１の高周波成分抽出手段と、高域通過型フィルタを用いて前記低周波成分信号をフィルタリングし、ダウンサンプリングすることにより前記低周波成分信号における高周波成分信号である第２の高周波成分信号を抽出する第２の高周波成分抽出手段と、前記低周波成分信号を符号化する低周波成分符号化手段と、前記第１の高周波成分信号及び前記第２の高周波成分信号を符号化する高周波成分符号化手段と、を有することを特徴とする。
【００１９】
更に、前記入力手段は、前記画像信号の解像度よりも低解像度である低解像度画像信号を入力し、前記低周波成分符号化手段は前記低解像度画像信号を符号化することを特徴とする。
【００２０】
また、本発明の別の側面は、低域通過型フィルタを用いて画像信号をフィルタリングし、ダウンサンプリングすることにより得られた低周波成分信号と、高域通過型フィルタを用いて前記画像信号をフィルタリングし、ダウンサンプリングすることにより得られた第１の高周波成分信号と、高域通過型フィルタを用いて前記低周波成分信号をフィルタリングし、ダウンサンプリングすることにより得られた第２の高周波成分信号とがそれぞれ符号化された符号化信号を復号する画像処理装置に係り、前記低周波成分信号の符号化信号を復号して第１の低周波成分信号を作成する低周波成分復号手段と、低域通過型フィルタを用いて前記第１の低周波成分信号をフィルタリングすることにより第２の低周波成分信号を抽出する低周波成分抽出手段と、前記第１の高周波成分信号の符号化信号を復号して第１の高周波成分信号を出力し、前記第２の高周波成分信号の符号化信号を復号して第２の高周波成分信号を出力する高周波成分復号手段と、第２の高周波成分信号をアップサンプリングし、高域通過型フィルタを用いて第３の高周波成分信号を出力し、前記第２の低周波成分信号と前記第３の高周波成分信号を用いて第３の低周波成分信号を出力し、該第３の低周波成分信号と前記第１の高周波成分信号とを用いて前記画像信号を復元する復元手段と、を有することを特徴とする。
【００２２】
【発明の実施の形態】
以下、本発明に係る一実施形態について、図面を参照して詳細に説明する。
【００２３】
＜第１実施形態＞
図１は本実施形態における高能率符号化装置の構成を示すブロック図である。図１において、１０１は映像信号入力端子、１０２は切り替え部、１０３は低解像度映像符号化部、１０４は低解像度映像符号出力端子、１０５は低域通過型フィルタ、１０６はダウンサンプラ、１０７は高域通過型フィルタ、１０８はダウンサンプラ、１０９は高域符号化部、１１０は高域符号出力端子、１１１は高域通過型フィルタ、１１２はダウンサンプラである。
【００２４】
●低解像度映像の符号化処理
まず、映像入力端子１０１に低解像度映像が入力された場合について説明する。映像入力端子１０１に供給された低解像度映像信号は、切り替え部１０２を経由して低解像度映像符号化部１０３に供給される。低解像度映像符号化部１０３は該低解像映像信号に対して直交変換、量子化可変長符号化の処理を施すことにより低解像度映像符号に変換して、低解像度映像符号出力端子１０４に出力する。
【００２５】
●高解像度映像の符号化処理
続いて、映像入力端子１０１に高解像度の静止画像が入力された場合について説明する。映像入力端子１０１に供給された高解像度映像信号は、低域通過型フィルタ１０５および高域通過型フィルタ１１１に供給される。高解像度映像は低域通過型フィルタおよび高域通過型フィルタによって低域信号と高域信号に分割されて、それぞれダウンサンプラ１０６，１１２に供給される。
【００２６】
ここで図３（ａ）に、低域通過型フィルタ１０５および高域通過型フィルタ１１１による周波数分割の例を示す。低域通過型フィルタ１０５は同図における二次元周波数領域ＬＬ、すなわち、水平／垂直ともに高解像度映像信号の半分の低帯域のみを通過させる。一方の高域通過型フィルタ１１１は同図のＬＨ，ＨＬ，ＨＨ領域のみを通過させる。
【００２７】
ダウンサンプラ１０６は、低域通過型フィルタ１０５から供給される低域信号を水平／垂直とも半分に間引くことによって、本実施形態において入力可能な低解像度映像と同一画素数の低解像度映像に変換した後、切り替え部１０２および高域通過型フィルタ１０７に供給する。切り替え部１０２は、前記ダウンサンプラ１０６から供給される低解像度映像を選択して低解像度映像符号化部１０３に供給する。
【００２８】
低解像度映像符号化部１０３は、低解像度映像符号に対して直交変換、量子化、可変長符号化の処理を施こすことによって低解像度映像符号へ変換し、低解像度映像符号出力端子１０４に出力する。
【００２９】
高域通過型フィルタ１０７はダウンサンプラ１０６から供給される低解像度映像の高域成分のみを、ダウンサンプラ１０８に供給する。ここで図３（ｂ）に、高域通過型フィルタ１０７が通過させる高域成分の例を示す。即ち、同図においてＬＬＬＨ，ＬＬＨＬ，ＬＬＨＨで示す領域のみが、ダウンサンプラ１０８に供給される。
【００３０】
ダウンサンプラ１１２およびダウンサンプラ１０８は、供給された信号列を各領域において水平／垂直とも半分に間引き、高域符号化部１０９に供給する。高域符号化部１０９においては、供給された信号に対して量子化、可変長符号化の各処理を施すことにより高域符号へ変換し、高域符号出力端子１１０に出力する。
【００３１】
以上説明したように本実施形態によれば、高解像度映像信号が入力された際に、その低周波成分（ＬＬ）と高周波成分（ＬＨ，ＨＬ，ＨＨ）を抽出し、該低周波成分（ＬＬ）から更に高周波成分（ＬＬＬＨ，ＬＬＨＬ，ＬＬＨＨ）を抽出して、それぞれを符号化する。従って、高解像度映像を符号化する際に、従来の様に低周波成分（ＬＬ）をそのまま符号化する場合よりも高画質化が実現される。
【００３２】
また、低周波成分に相当する低解像度映像の符号化については一般的な処理を行なうため、従来装置との互換性が維持できる。
【００３３】
尚、本実施形態において低周波成分（ＬＬ）から抽出される高周波成分（ＬＬＬＨ，ＬＬＨＬ，ＬＬＨＨ）の情報量は比較的少ないため、符号化効率を大さく損ねることはない。
【００３４】
＜第２実施形態＞
以下、本発明に係る第２実施形態について説明する。第２実施形態においては、上述した第１実施形態に示した高能率符号化装置に対応する、高能率復号装置について説明する。
【００３５】
図２は、第２実施形態における高能率復号装置の構成を示すブロック図である。図２において、２０１は低解像度映像符号入力端子、２０２は低解像度映像復号部、２０３は切り替え部、２０４は映像信号出力端子、２０５は高域符号入力端子、２０６高域復号部、２０７はアップサンプラ、２０８は低域通過型フィルタ、２０９は加算部、２１０はアップサンプラ、２１１は低域通過型フィルタ、２１２は高域通過型フィルタ、２１３はアップサンプラ、２１４は高域通過型フィルタ、２１５は加算部である。
【００３６】
●低解像映像の復号処理
まず、上述した第１実施形態の高能率符号化装置によって符号化された、低解像度映像の符号が供給される場合について説明する。低解像映像符号入力端子２０１に供給される低解像度映像符号は、低解像度映像復号部２０２に供給され、可変長復号、逆量子化、逆直交変換の各処理が施されることによって映像符号に変換された後、切り替え部２０３に供給される。
【００３７】
そして切り替え部２０３においては、低解像度映像復号部２０２から供給される映像信号を映像信号出力端子２０４に出力する。
【００３８】
●高解像映像の復号処理
続いて、第１実施形態の高能率符号化装置によって符号化された、高解像度映像の符号が供給される場合について説明する。
【００３９】
この場合、まず低解像度映像符号入力端子２０１には図３（ａ）に示す周波数帯域ＬＬに相当する映像符号が供給される。低解像度映像復号部２０２では、供給された映像符号に可変長復号、逆量子化、逆直交変換を施すことで低解像度映像を復号し、低域通過型フィルタ２０８に供給する。低域通過型フィルタ２０８は、供給された低解像度映像の低域信号、すなわち図３（ｂ）に示す周波数帯域ＬＬＬＬ相当を加算部２０９に供給する。
【００４０】
一方、高域符号入力端子２０５に供給される高域符号は、高域復号部２０６に供給される。ここで入力される高域符号は高解像度映像を符号化した際の、図３（ａ）に示す周波数帯域ＬＨ，ＨＬ，ＨＨ及び図３（ｂ）に示す周波数帯域ＬＬＬＨ，ＬＬＨＬ，ＬＬＨＨ領域に相当する。高域復号化部２０６は、該高域符号に対して可変長復号化、逆量子化を施し、周波数帯域ＬＨ，ＨＬ，ＨＨに相当する信号列をアップサンプラ２１３に、周波数帯域ＬＬＬＨ，ＬＬＨＬ，ＬＬＨＨに相当する信号列をアップサンプラ２０７にそれぞれ供給する。
【００４１】
アップサンプラ２０７，２１３は供給される信号列に対して水平／垂直に「０」値を挿入し、それぞれ高域通過型フィルタ２１２，２１４に供給する。高域通過型フィルタ２１２は、供給される信号列における図３（ｂ）に示す周波数帯域ＬＬＬＨ，ＬＬＨＬ，ＬＬＨＨのみを通過させ、加算部２０９に供給する。加算部２０９においては、供給された帯域ＬＬＬＨ，ＬＬＨＬ，ＬＬＨＨと、低域通過型フィルタ２０８から供給された帯域ＬＬＬＬとを加算して、図３（ａ）に示す帯域ＬＬを再構成し、アップサンプラ２１０に供給する。
【００４２】
アップサンプラ２１０は供給された信号列に対して水平／垂直に「０」値を挿入し、低域通過型フィルタ２１１に供給する。低域通過型フィルタ２１１は、アップサンプラ２１０から供給された信号列において図３（ａ）に示す帯域ＬＬのみを通過させ、加算部２１５へ供給する。一方、高域通過型フィルタ２１４は、アップサンプラ２１３から供給された信号列において図３（ａ）に示す帯域ＬＨ，ＨＬ，ＨＨのみを通過させ、加算部２１５へ供給する。加算部２１５は、供給される帯域ＬＬと帯域ＬＨ，ＨＬ，ＨＨを加算し、高解像度映像の全帯域を再構成し、切り替え部２０３に供給する。
【００４３】
そして切り替え部２０３においては、加算部２１５から供給される信号を選択して、映像信号出力端子２０４に出力する。
【００４４】
以上説明したように第２実施形態によれば、従来の復号装置との互換性を保ちつつ、上述した第１実施形態に示す高能率符号化装置によって高能率符号化された映像信号を適切に復号することができる。
【００４５】
尚、第２実施形態においては、高解像度映像を復号する際に、加算部２１５において帯域ＬＬと帯域ＬＨ，ＨＬ，ＨＨを加算することによって高解像度映像の全帯域を再構成し、切り替え部２０３に出力する例について説明した。これを、ここで加算を行なわず、帯域ＬＬのみを切り替え部２０３に出力するように構成すれば、高画質な低解像度映像を出力することができる。
【００４６】
尚、上述した第１及び第２実施形態においては、低解像度映像符号と高域符号とを分離して入出力する例について説明したが、これらを多重化した信号を入出力するような構成としても良い。この場合の多重化方法としては例えば、低解像度映像符号と高域符号を時分割多重化する方法や、周波数多重化する方法等が適用できる。
【００４７】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００４８】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００４９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００５０】
【発明の効果】
以上説明したように本発明によれば、低解像度画像のみに対応した装置との互換性を損なうことなく、高解像度画像に対する高品位な符号化処理が可能となる。
【図面の簡単な説明】
【図１】本発明に係る一実施形態における高能率符号化装置の構成を示すブロック図、
【図２】第２実施形態における高能率復号装置の構成を示すブロック図、
【図３】本実施形態における周波数分割の様子を示す図である。
【図４】従来の高能率符号化装置の構成を示すブロック図、
【図５】従来の高能率復号装置の構成を示すブロック図、
【図６】従来装置における周波数分割の様子を示す図、である。
【符号の説明】
１０１  映像信号入力端子
１０２  切り替え部
１０３  低解像度映像符号化部
１０４  低解像度映像符号出力端子
１０５  低域通過型フィルタ
１０６  ダウンサンプラ
１０７  高域通過型フィルタ
１０８  ダウンサンプラ
１０９  高域符号化部
１１０  高域符号出力端子
１１１  高域通過型フィルタ
１１２  ダウンサンプラ
２０１  低解像度映像符号入力部
２０２  低解像度映像復号部
２０３  切り替え部
２０４  映像信号出力端子
２０５  高域符号入力端子
２０６  高域復号部
２０７  アップサンプラ
２０８  低域通過型フィルタ
２０９  加算部
２１０  アップサンプラ
２１１  低域通過型フィルタ
２１２  高域通過型フィルタ
２１３  アップサンプラ
２１４  高域通過型フィルタ
２１５  加算部
【図１】
0003809303.tif 000002
【図２】
0003809303.tif 000003
【図３】
0003809303.tif 000004
【図４】
0003809303.tif 000005
【図５】
0003809303.tif 000006
【図６】
0003809303.tif 000007